(57)【要約】【課題】特定の需要者の燃料ガスの使用によって燃料ガスの漏洩が生じていなくても漏洩が生じていると他の需要者のガスメータが誤って判断する現象を低減させることができるガス供給システムを提供する。【解決手段】ガス供給システム１００は、ＬＰガス容器６１，６２からの燃料ガスを一次減圧する中圧減圧部６、及び中圧減圧部６から分岐すると共に中圧減圧部６により一次減圧された燃料ガスを導入して二次減圧する複数の低圧減圧部２０ａ，２０ｂ、を有する圧力調整器１と、複数の低圧減圧部２０ａ，２０ｂに繋がる複数の流路８３，８４と、複数の流路８３，８４の各々に設けられ、燃料ガスの漏洩検知機能を有する複数のガスメータ７１，７２と、を備え、複数の低圧減圧部２０ａ，２０ｂの各々は、それぞれの需要者側への燃料ガスの供給が停止されているときに閉状態となる。【選択図】図１
0003225853.tif 000002
【実用新案登録請求の範囲】
【請求項１】
ＬＰガス容器からの燃料ガスを一次減圧する一次減圧部、及び前記一次減圧部により一次減圧された燃料ガスを導入して二次減圧する複数の二次減圧部、を有する圧力調整器と、
前記複数の二次減圧部の各々からそれぞれの需要者側まで燃料ガスを導く複数の流路と、
前記複数の流路の各々に対して設けられ、燃料ガスの漏洩検知機能を有する複数のガスメータと、
を備え、
前記複数の二次減圧部の各々は、それぞれの需要者側への燃料ガスの供給が停止されているときに閉状態となる、
ことを特徴とするガス供給システム。
【請求項２】
前記複数の二次減圧部は、２つの二次減圧部であり、
前記２つの二次減圧部は、それぞれが、ダイヤフラムと、前記ダイヤフラムの一方側のガス室と、前記ダイヤフラムの他方側の大気室と、を有し、前記ダイヤフラムが一方側及び他方側へ変位する動作に応じて燃料ガスを減圧するものであり、
前記２つの二次減圧部の前記ダイヤフラムが前記ガス室に向かって動作する方向は、互いに略同一方向に設定されている、
ことを特徴とする請求項１に記載のガス供給システム。
【請求項３】
前記２つの二次減圧部の前記ガス室は、略同一平面上に並んで配置され、
前記２つの二次減圧部の前記大気室は、略同一平面上に並んで配置されている、
ことを特徴とする請求項２に記載のガス供給システム。
【請求項４】
前記複数の二次減圧部は、２つの二次減圧部であり、
前記２つの二次減圧部は、それぞれが、ダイヤフラムと、前記ダイヤフラムの一方側のガス室と、前記ダイヤフラムの他方側の大気室と、を有し、前記ダイヤフラムが一方側及び他方側へ変位する動作に応じて燃料ガスを減圧するものであり、
前記２つの二次減圧部の前記ダイヤフラムが前記ガス室に向かって動作する方向は、互いに逆方向に設定されている、
ことを特徴とする請求項１に記載のガス供給システム。
【請求項５】
前記２つの二次減圧部の前記ガス室は、互いに対向して配置されている、
ことを特徴とする請求項４に記載のガス供給システム。
【請求項６】
前記一次減圧部、及び前記複数の二次減圧部は、一体化されており、
前記複数の二次減圧部は、前記一次減圧部の内部で分岐している、
ことを特徴とする請求項１乃至請求項５のいずれか１項に記載のガス供給システム。
【請求項７】
前記複数の二次減圧部の設定圧力が互いに略同一である、
ことを特徴とする請求項１乃至請求項６のいずれか１項に記載のガス供給システム。
【請求項８】
ＬＰガス容器からの燃料ガスを一次減圧する一次減圧部と、
前記一次減圧部により一次減圧された燃料ガスを導入して二次減圧する複数の二次減圧部と、
を備え、
前記複数の二次減圧部の各々は、それぞれの需要者側への燃料ガスの供給が停止されているときに閉状態となり、
前記一次減圧部及び前記複数の二次減圧部は一体化され、
前記複数の二次減圧部の設定圧力が互いに略同一である、
ことを特徴とする圧力調整器。
【考案の詳細な説明】
【技術分野】
【０００１】
本考案は、ガス供給システム及び圧力調整器に関する。
【背景技術】
【０００２】
複数の需要者にガスを供給するシステムとして、図８に示されるようなガス供給システム３００が考えられる。このガス供給システム３００では、ＬＰガス容器６１，６２が１つの圧力調整器３０１に接続され、この圧力調整器３０１から延びる流路３１０の終端３１０Ａから２つの分岐流路３１１及び分岐流路３１２が分岐しており、分岐流路３１１にガスメータ７１、流路３１３、及び特定の需要者の居住空間９１が順に接続され、分岐流路３１２にガスメータ７２、流路３１４、及び他の需要者の居住空間９２が順に接続されている。
この場合に、ガスメータ７１，７２は、内部の燃料ガスの流動が止まったときに、所定圧力以上の圧力を検知した場合には、燃料ガスの漏洩が生じていないと判断し、所定圧力未満の圧力を検知した場合には、燃料ガスの漏洩が生じていると判断する。
【０００３】
この一方で、特許文献１に示されるように、圧力調整器が、一次側圧力調整器、二次側親圧力調整器、及び二次側子圧力調整器を有する構成が知られている。この二次側子圧力調整器の下流の流路にはガスメータが配置され、このガスメータは燃料ガスの漏洩を検知する。
【先行技術文献】
【特許文献】
【０００４】
【特許文献１】特開平９−１４５５２６号公報
【考案の概要】
【考案が解決しようとする課題】
【０００５】
しかし、図８のような構成の場合であって、特定の需要者の居住空間９１が燃料ガスを使用し、他の需要者の居住空間９２が燃料ガスを使用していない場合に、分岐流路３１１と分岐流路３１２とが繋がっているために、分岐流路３１２内の燃料ガスが分岐流路３１１内に流れてしまうことがある。このために、他の需要者のガスメータ７２は、分岐流路３１２内の燃料ガスの圧力低下を検知して、燃料ガスの漏洩が発生してないにも関わらず燃料ガスの漏洩が発生していると判断する場合がある。
この誤った燃料ガスの漏洩の判断を防ぐために、１つの圧力調整器３０１を共用するのではなく、２つの圧力調整器３０１を特定の需要者の居住空間９１と他の需要者の居住空間９２との各々に用いることも考えられるが、圧力調整器３０１が１つ余分に必要となる。
【０００６】
また、特許文献１のような構成の場合には、二次側圧力調整器が二次側親圧力調整器及び二次側子圧力調整器の２つとなっているものの、この構成は、特定の需要者及び他の需要者が燃料ガスを使うためのガス供給システム（例．２世帯住宅用のガス供給システム）に適用することを意図したものではなく、前述の図８を参照しつつ説明した課題を解決するものではない。
【０００７】
本考案は、上記実情に鑑み、特定の需要者の燃料ガスの使用によって燃料ガスの漏洩が生じていなくても漏洩が生じていると他の需要者のガスメータが誤って判断する現象を低減させることができるガス供給システムを提供することを目的とする。
【課題を解決するための手段】
【０００８】
本考案に係るガス供給システムは、ＬＰガス容器からの燃料ガスを一次減圧する一次減圧部、及び一次減圧部により一次減圧された燃料ガスを導入して二次減圧する複数の二次減圧部、を有する圧力調整器と、複数の二次減圧部の各々からそれぞれの需要者側まで燃料ガスを導く複数の流路と、複数の流路の各々に対して設けられ、燃料ガスの漏洩検知機能を有する複数のガスメータと、を備え、複数の二次減圧部の各々は、それぞれの需要者側への燃料ガスの供給が停止されているときに閉状態となる、ことを特徴とする。
【０００９】
本考案に係るガス供給システムによれば、特定の需要者が燃料ガスを使用していて他の需要者が燃料ガスを使用していないとき、他の需要者側の二次減圧部は下流の燃料ガスの供給が停止されているために閉状態となっており、他の需要者に対して設けられる圧力調整器の二次減圧部の下流側の燃料ガスが、閉じ込められた状態を維持することとなる。そのために、特定の需要者の燃料ガスの使用によって燃料ガスの漏洩が生じていなくても漏洩が生じていると他の需要者のガスメータが誤って判断する現象を低減させることができる。
【考案の効果】
【００１０】
本考案によれば、特定の需要者の燃料ガスの使用によって燃料ガスの漏洩が生じていなくても漏洩が生じていると他の需要者のガスメータが誤って判断する現象を低減させることができる。
【図面の簡単な説明】
【００１１】
【図１】本考案の第１の実施形態に係るガス供給システムの概略図である。
【図２】図１のガス供給システムが有する圧力調整器の拡大図である。
【図３】図２の圧力調整器のＡ−Ａ断面図である。
【図４】図２の圧力調整器のＡ’−Ａ’断面図である。
【図５】図２の圧力調整器のＢ−Ｂ断面図である。
【図６】本考案の第２の実施形態に係るガス供給システムの概略図である。
【図７】図６のガス供給システムが有する圧力調整器の拡大断面図である。
【図８】比較例に係るガス供給システムの概略図である。
【考案を実施するための形態】
【００１２】
以下、本考案を好適な実施形態に沿って説明する。なお、本考案は以下に示す実施形態に限られるものではなく、本考案の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００１３】
（第１の実施形態）
（ガス供給システム）
図１は、本考案の第１の実施形態に係るガス供給システム１００の概略図である。ガス供給システム１００は、ＬＰガス容器６１，６２と、圧力調整器１と、ガスメータ７１，７２と、流路８１〜８６と、を有する。ＬＰガス容器６１，６２の出口６１ａ，６１ｂは、流路８１，８２により圧力調整器１のガス入口流路４ａ，４ｂに接続されている。圧力調整器１のガス出口流路５ａ，５ｂは、流路８３，８４によりガスメータ７１，７２の入口７１ａ，７２ａに接続されている。ガスメータ７１の出口７１ｂは、流路８５により特定の需要者の居住空間９１が有する図示しないガス栓に接続されている。ガスメータ７２の出口７２ｂは、流路８６により他の需要者の居住空間９２が有する図示しないガス栓に接続されている。
【００１４】
（圧力調整器）
図２は、図１のガス供給システム１００が有する圧力調整器１の拡大図である。図３は、図２の圧力調整器１のＡ−Ａ断面図である。図４は、図２の圧力調整器１のＡ’−Ａ’断面図である。図５は、図２の圧力調整器１のＢ−Ｂ断面図である。
【００１５】
この圧力調整器１は、下部ハウジング２（図１参照）（ハウジング）と上部ハウジング３（ハウジング）とを備え、これらが組み付けられることによりハウジングが形成されている。下部ハウジング２は、２つのガス入口流路４ａ，４ｂと、２つのガス出口流路５ａ，５ｂと、を有する。
【００１６】
ガス入口流路４ａ，４ｂは、それぞれ異なるＬＰガス容器６１，６２（図１参照）に流路８１，８２を介して接続され、ＬＰガス容器６１，６２からの高圧ガスを導入する流路である。ガス出口流路５ａ，５ｂは、ガス入口流路４ａ，４ｂに対して直交する方向に形成され、圧力調整器１にて減圧された燃料ガスを例えばガスメータ７１，７２等に供給するための流路である。本実施形態では、例えば特定の需要者の居住空間９１に燃料ガスを供給しつつ、他の需要者の居住空間９２に燃料ガスを供給することが可能な構成を想定して説明する。
【００１７】
圧力調整器１は、中圧減圧部６（一次減圧部）と、低圧減圧部２０ａ，２０ｂ（二次減圧部）と、を備え、ＬＰガス容器６１，６２からの燃料ガスを所定圧力まで減圧して需要者側（ガスレンジなどの燃焼器）に供給する機器である。中圧減圧部６は、ＬＰガス容器６１，６２からの例えば０．１〜１．５６ＭＰａの高圧ガス（燃料ガス）を、０．０６ＭＰａ程度に一次減圧する部位である。低圧減圧部２０ａ，２０ｂは、中圧減圧部６から分岐すると共に中圧減圧部６により一次減圧されたガス（燃料ガス）を導入して２．５５〜３．３ｋＰａ程度に二次減圧する部位である。
【００１８】
本実施形態では、中圧減圧部６は１つあり、低圧減圧部２０（低圧減圧部）は複数（２つ）ある。そして、中圧減圧部６は特定の需要者の居住空間９１及び他の需要者の居住空間９２に共用され、低圧減圧部２０ａは特定の需要者の居住空間９１に使用され、低圧減圧部２０ｂは他の需要者の居住空間９２のために使用される。また、本実施形態では、中圧減圧部６、及び複数の低圧減圧部２０ａ，２０ｂは、一体化されている。複数の低圧減圧部２０ａ，２０ｂは、互いの設定圧力が略同一である。以下、これらの中圧減圧部６及び低圧減圧部２０ａ，２０ｂについて更に詳述する。
【００１９】
（中圧減圧部）
図５に示されるように、中圧減圧部６は、中圧減圧室７と、大気圧室８と、中圧ダイヤフラム１１と、中圧スプリング９と、中圧ダイヤフラム受板１０と、下部軸受部材１２（軸受部材）と、切替軸１３と、上部軸受部材１４（軸受部材）と、切替レバー１５と、押圧部材１６と、中圧弁１７と、を備えている。
【００２０】
中圧減圧室７は、ガス入口流路４ａ，４ｂから導入された高圧ガスを一時的に保持する部位である。大気圧室８は、外部と連通することにより内部が大気圧となる部位である。
【００２１】
中圧ダイヤフラム１１は、周縁が下部ハウジング２と上部ハウジング３との間に挟持固定されており、中圧減圧室７と大気圧室８とを気密に隔てる薄膜状の部材である。また、中圧ダイヤフラム１１は、中圧ダイヤフラム受板１０を介して中圧スプリング９により中圧減圧室７側に付勢されている。この中圧ダイヤフラム１１は、中圧減圧室７の圧力が高まると中圧スプリング９の付勢力に抗して大気圧室８側に変位する。
【００２２】
下部軸受部材１２は、中圧ダイヤフラム１１の軸心部に同軸的に固定されるものである。切替軸１３は、下部軸受部材１２に挿入される部材であって、下部軸受部材１２の軸方向（以下単に軸方向という）の軸回りに回転自在となっている。また、切替軸１３は、下部軸受部材１２に対して軸方向には固定された状態になっており、中圧減圧室７内のガス圧力の変動に伴って、中圧ダイヤフラム１１と共に軸方向に移動する。このような切替軸１３の下部には、切替軸１３の軸回り方向への回転に基づき作用して２つのガス入口流路４ａ，４ｂから中圧減圧室７への燃料ガスの流入を調整する中圧弁１７が配置されている。
【００２３】
上部軸受部材１４は、切替軸１３の上部を囲むように形成された部材であって、上部ハウジング３に対して挿入取付されるものである。この上部軸受部材１４は、この切替軸１３を回転自在に支持するものであって、筒部１４ａと、鍔部１４ｂとを有している。筒部１４ａは、切替軸１３が挿通される筒体である。鍔部１４ｂは、筒部１４ａの上端から円周状に突出するフランジである。
【００２４】
切替レバー１５は、上部ハウジング３の上部において軸回りに１８０度回転可能とされるものである。押圧部材１６は、中圧ダイヤフラム１１の軸心部に固定状態で設けられるものであり、切替軸１３を通じて切替レバー１５の回転と共に回転するものである。また、押圧部材１６は、凹部１６ａと凸部１６ｂと有している。凹部１６ａは、上部ハウジング３側に凹む部位であり、凸部１６ｂは、下部ハウジング２側に突き出る部位である。切替レバー１５を１８０度回転させた場合、これら、凹部１６ａと凸部１６ｂとの位置が入れ替わることとなり、中圧弁１７から伸びる棒状部材１７ａとの接触関係が変わることとなる。すなわち、図５に示す例では、ガス入口流路４ｂ側の中圧弁１７から伸びる棒状部材１７ａと凸部１６ｂとが接触しているが、切替レバー１５を１８０度回転させることにより、凸部１６ｂは、ガス入口流路４ａ側の中圧弁１７から伸びる棒状部材１７ａと接触することとなる。
【００２５】
（低圧減圧部）
図３に示されるように、低圧減圧部２０ａは、低圧減圧室２１ａ（ガス室）と、大気圧室２２ａ（大気室）と、低圧ダイヤフラム２５ａ（ダイヤフラム）と、低圧スプリング２３と、低圧ダイヤフラム受板２４と、作動棹２６と、開閉用レバー２９と、ピン３０と、低圧弁３１（弁）と、ノズル部３２と、スプリング受け座金２７と、安全弁調整スプリング２８と、を備えている。
【００２６】
同様に、低圧減圧部２０ｂは、図４に示されるように、低圧減圧室２１ｂ（ガス室）と、大気圧室２２ｂ（大気室）と、低圧ダイヤフラム２５ｂ（ダイヤフラム）と、低圧スプリング２３と、低圧ダイヤフラム受板２４と、作動棹２６と、開閉用レバー２９と、ピン３０と、低圧弁３１と、ノズル部３２と、スプリング受け座金２７と、安全弁調整スプリング２８と、を備えている。
【００２７】
低圧減圧室２１ａ，２１ｂは、中圧減圧部６から導入された中圧ガスを一時的に保持する部位である。大気圧室２２ａ，２２ｂは、外部と連通することにより内部が大気圧となる部位である。
【００２８】
低圧ダイヤフラム２５ａ，２５ｂは、周縁が下部ハウジング２と上部ハウジング３との間に挟持固定されており、低圧ダイヤフラム２５ａ，２５ｂの一方側の低圧減圧室２１ａ，２１ｂと低圧ダイヤフラム２５ａ，２５ｂの他方側の大気圧室２２ａ，２２ｂとを気密に隔てている。また、低圧ダイヤフラム２５ａ，２５ｂは、低圧ダイヤフラム受板２４を介して低圧スプリング２３により低圧減圧室２１ａ，２１ｂ側に付勢されている。
【００２９】
低圧減圧部２０ａが有するダイヤフラム２５ａが低圧減圧室２１ａに向かって動作する方向と、低圧減圧部２０ｂが有するダイヤフラム２５ｂが低圧減圧室２１ｂに向かって動作する方向とが、互いに略同一方向に設定されている。また、低圧減圧部２０ａが有する低圧減圧室２１ａと、低圧減圧部２０ｂが有する低圧減圧室２１ｂとは、略同一平面上に並んで配置されている。さらに、低圧減圧部２０ａが有する大気圧室２２ａと、低圧減圧部２０ｂが有する大気圧室２２ｂとは、略同一平面上に並んで配置されている。
【００３０】
作動棹２６は、低圧ダイヤフラム２５ａ，２５ｂの中心を軸方向に貫通して設けられる部材であって、低圧減圧室２１ａ，２１ｂ側先端には開閉用レバー２９が設けられている。開閉用レバー２９の先端（作動棹２６接続側と反対側の先端）には、ピン３０が設けられている。このため、開閉用レバー２９は、ピン３０を中心に回動可能となっている。
【００３１】
また、開閉用レバー２９のピン３０よりも更に先端には、低圧弁３１が設けられている。低圧弁３１は、開閉用レバー２９の回動に応じて、中圧減圧室７とガス出口流路５ａ，５ｂとの間に設けられて燃料ガスが通過可能なノズル部３２を開閉するように動作するようになっている。
【００３２】
例えば、図３に示されるように、低圧減圧部２０ａでは、特定の需要者の居住空間９１（それぞれの需要者側）への燃料ガスの供給が続いているときに、低圧弁３１がノズル部３２を開いて開状態となっている。また、例えば、図４に示されるように、低圧減圧部２０ｂでは、他の需要者の居住空間９２（それぞれの需要者側）への燃料ガスの供給が停止されているときに、低圧弁３１がノズル部３２を閉じて閉状態となっている。
【００３３】
また、作動棹２６の大気圧室２２ａ，２２ｂ側の先端には、スプリング受け座金２７が設けられている。このスプリング受け座金２７と低圧ダイヤフラム２５ａ，２５ｂとの間には、安全弁調整スプリング２８が介装されている。安全弁調整スプリング２８は、作動棹２６の下端に一体に形成された安全弁の弁体２６ａを、低圧ダイヤフラム２５ａ，２５ｂの下部側に配置した弁体受け３３に当接する方向に常時付勢している。
【００３４】
［複数の流路］
本実施形態では、圧力調整器１からガスメータ７１，７２に向かう流路８３，８４は複数（２つ）ある。流路８３，８４の各々は、複数の低圧減圧部２０ａ，２０ｂの各々からそれぞれの需要者の居住空間９１，９２（需要者側）まで燃料ガスを導くものである。
【００３５】
［ガスメータ］
本実施形態では、ガスメータ７１，７２は複数（２つ）ある。ガスメータ７１，７２の各々は、複数の流路８３，８４の各々に対して設けられ、燃料ガスの使用量を計量すると共に、燃料ガスの漏洩検知機能を有する。
【００３６】
次に、本実施形態に係る圧力調整器１の動作について説明する。
（中圧減圧部６において燃料ガスが減圧されるとき）
まず、需要者側で燃料ガスが使用され、中圧減圧室７の圧力が低下したとする。この場合、中圧スプリング９の付勢力により中圧ダイヤフラム１１が下部ハウジング２側に変位する。そして、一方の棒状部材１７ａが凸部１６ｂによって下部ハウジング２側に押し下げられる。これにより、一方のガス入口流路４ａ（４ｂ）側の中圧弁１７が弁座から離間するように動作して一方のガス入口流路４ａが連通し、ＬＰガス容器６１，６２からの高圧ガスが中圧減圧室７に導入される。なお、他方の棒状部材１７ａは、凹部１６ａによって押し下げられず、他方のガス入口流路４ｂ（４ａ）側の中圧弁１７が動作せずに弁座と接触している状態では他方のガス入口流路４ｂは連通しないこととなる。
【００３７】
高圧ガスの流入により中圧減圧室７の圧力が上昇すると、中圧スプリング９の付勢力に抗して中圧ダイヤフラム１１が上部ハウジング３側に変位する。これにより、棒状部材１７ａと共に中圧弁１７が上部ハウジング３側に移動して、一方のガス入口流路４ａは閉じられることとなる。その後、需要者側で燃料ガスが使用されると、中圧減圧室７の圧力が低下して、上記動作を繰り返すこととなる。
【００３８】
また、一方のガス入口流路４ａ（４ｂ）側に接続されるＬＰガス容器６１，６２内のガス量が低下した場合、中圧減圧室７の圧力が上昇しなくなる。この場合、中圧スプリング９の付勢力により中圧ダイヤフラム１１が下部ハウジング２側に一層変位することとなる（所定距離以上変位することとなる）。これにより、凹部１６ａが他方の棒状部材１７ａに接触して押し下げられることとなり、他方のガス入口流路４ｂ（４ａ）側に接続されるＬＰガス容器６１，６２から高圧ガスが流入するようになる。
【００３９】
次に、特定の需要者によりガスが使用され、他の需要者によりガスが使用されていない場合を想定しつつ、低圧減圧部２０ａの動作（図３参照）及び低圧減圧部２０ｂの動作（図４参照）を説明する。
（一方の低圧減圧部２０ａにおいて燃料ガスが減圧されるとき）
また、複数の低圧減圧部２０のうちの一方の低圧減圧部２０ａにおいては、需要者側で燃料ガスが使用されることにより、低圧減圧室２１ａの圧力が低下する。これにより、低圧スプリング２３の付勢力により低圧ダイヤフラム２５ａが下部ハウジング２側に変位する。そして、開閉用レバー２９がピン３０を支点として図３における反時計回り方向に回動する。この回動により、低圧弁３１が図３中右方向に移動して、ノズル部３２を開放する。これにより、中圧減圧室７側の燃料ガスが、ガス出口流路５ａ側に流れる。
【００４０】
一方、低圧減圧室２１ａの圧力が上昇すると、低圧スプリング２３の付勢力に抗して、低圧ダイヤフラム２５ａが上部ハウジング３側へ変位し、低圧弁３１が図３中左方向へ移動する。これにより、ノズル部３２の流路が閉じられ、低圧減圧室２１ａへの燃料ガスの流入を制御する。その後、需要者側で燃料ガスが使用されると、低圧減圧室２１ａの圧力が低下して、上記動作を繰り返すこととなる。このように、低圧ダイヤフラム２５ａが一方側及び他方側へ変位する動作に応じて燃料ガスの減圧を行う。
【００４１】
（他方の低圧減圧部２０ｂにおいて燃料ガスが流動しないとき）
複数の低圧減圧部２０のうちの他方の低圧減圧部２０ｂにおいては、需要者側で燃料ガスが使用されていない場合には、低圧減圧室２１ｂの圧力が上昇しており、低圧スプリング２３の付勢力に抗して、低圧ダイヤフラム２５ｂが上部ハウジング３側へ変位し、低圧弁３１が図４中左方向へ移動する。これにより、ノズル部３２の流路が閉じられ、低圧減圧室２１ｂへの燃料ガスの流入が止められる。
【００４２】
（その他の動作）
なお、低圧減圧室２１ａ，２１ｂの圧力が所定の圧力を越えて異常に高くなった場合には、低圧ダイヤフラム２５ａ，２５ｂのそれ以上の移動が安全弁調整スプリング２８によって阻止され、安全弁の弁体２６ａが開き、低圧減圧室２１ａ，２１ｂ内の燃料ガスを大気圧室２２ａ，２２ｂ、通気孔を介して外部に逃がすこととなる。
【００４３】
前述した本実施形態に係るガス供給システム１００は、ＬＰガス容器６１，６２からの燃料ガスを一次減圧する中圧減圧部６、及び中圧減圧部６から分岐すると共に中圧減圧部６により一次減圧された燃料ガスを導入して二次減圧する複数の低圧減圧部２０ａ，２０ｂ、を有する圧力調整器１と、複数の低圧減圧部２０ａ，２０ｂの各々からそれぞれ需要者側まで燃料ガスを導く複数の流路８３，８４と、複数の流路８３，８４の各々に対して設けられ、燃料ガスの漏洩検知機能を有する複数のガスメータ７１，７２と、を備え、複数の低圧減圧部２０ａ，２０ｂの各々は、それぞれの需要者側への燃料ガスの供給が停止されているときに閉状態となる。
【００４４】
こうしたガス供給システム１００によれば、特定の需要者（例．第１の世帯（親世帯））が居住空間９１で燃料ガスを使用していて他の需要者（例．第２の世帯（子世帯））が居住空間９２で燃料ガスを使用していないとき、他の需要者側の低圧減圧部２０ｂは下流の燃料ガスの供給が停止されているために閉状態となっており、他の需要者に対して設けられる圧力調整器１の下流側の燃料ガスが、閉じ込められた状態を維持することとなる。そのために、特定の需要者の燃料ガスの使用によって燃料ガスの漏洩が生じていなくても漏洩が生じていると他の需要者のガスメータが誤って判断する現象を低減させることができる。
【００４５】
また、ガス供給システム１００では、複数の低圧減圧部は、２つの低圧減圧部２０ａ，２０ｂであり、２つの低圧減圧部２０ａ，２０ｂは、それぞれが、低圧ダイヤフラム２５ａ，２５ｂと、低圧ダイヤフラム２５ａ，２５ｂの一方側の低圧減圧室２１ａ，２１ｂと、低圧ダイヤフラム２５ａ，２５ｂの他方側の大気圧室２２ａ，２２ｂと、を有し、低圧ダイヤフラム２５ａ，２５ｂが一方側及び他方側へ変位する動作に応じて燃料ガスを減圧するものであり、２つの低圧減圧部２０ａ，２０ｂが有する２つのダイヤフラム２５ａ，２５ｂが２１ａ，２１ｂに向かって動作する方向は、互いに略同一方向に設定されている。また、２つの低圧減圧部２０ａ，２０ｂが有する２つの低圧減圧室２１ａ，２１ｂは、略同一平面上に並んで配置され、２つの低圧減圧部２０ａ，２０ｂが有する２つの大気圧室２２ａ，２２ｂは、略同一平面上に並んで配置されている。こうしたガス供給システム１００によれば、圧力調整器１の厚みの薄型化が実現される。ひいては、ガス供給システム１００の厚みの薄型化も実現される。
【００４６】
また、ガス供給システム１００では、中圧減圧部６及び複数の低圧減圧部２０ａ，２０ｂは、一体化されており、複数の低圧減圧部２０ａ，２０ｂは、中圧減圧部６の内部で分岐している。こうしたガス供給システム１００によれば、低圧減圧部２０ａ、低圧減圧部２０ｂ、及び中圧減圧部６の配置が互いに近づき、圧力調整器１の縮小化が実現される。ひいては、ガス供給システム１００の縮小化も実現される。
【００４７】
（第２の実施形態）
図６は、本考案の第２の実施形態に係るガス供給システム２００の概略図である。図７は、図６のガス供給システム２００が有する圧力調整器２０１の拡大図である。第２の実施形態のガス供給システム２００の構成のうち第１の実施形態のガス供給システム１００と同一の構成については、第１の実施形態の説明が援用されるものとする。以下、第２の実施形態に特有の構成について説明する。
【００４８】
図６及び図７に示されるように、２つの低圧減圧部２０ａ，２０ｂが有する２つの低圧ダイヤフラム２５ａ，２５ｂが低圧減圧室２１ａ，２１ｂに向かって動作する方向は、互いに逆方向に設定されている。２つの低圧減圧部２０ａ，２０ｂが有する２つの低圧ダイヤフラム２５ａ，２５ｂは、互いに対向して配置されている。こうしたガス供給システム２００によれば、圧力調整器２０１の幅（ダイヤフラム２５ａ，２５ｂの面に沿う方向の寸法）の狭幅化が実現される。ひいては、ガス供給システム２００の幅の狭幅化も実現される。
【００４９】
以上、実施形態に基づき本考案を説明したが、本考案は上記実施形態に限られるものではなく、本考案の趣旨を逸脱しない範囲で、実施形態同士の技術を組み合わせてもよいし、変更を加えてもよいし、可能な範囲で適宜他の技術を組み合わせてもよい。
【００５０】
例えば第１及び第２の実施形態に係るガス供給システム１００，２００は、特定の需要者が１世帯であり他の需要者が１世帯である二世帯用のガス供給システム等に適用することも想定できるが、これに限らず、同様の思想を特定の需要者が１世帯又は複数で他の需要者が１世帯又は複数の三世帯以上の複数のガス供給システムに適用しても良い。その場合には、低圧減圧部、ガスメータ、並びに低圧減圧部及びガスメータを結ぶ流路が３つ以上の複数になる。
【符号の説明】
【００５１】
１，２０１      ：圧力調整器
２              ：下部ハウジング（ハウジング）
３              ：上部ハウジング（ハウジング）
４ａ，４ｂ      ：ガス入口流路
５ａ，５ｂ      ：ガス出口流路
６              ：中圧減圧部（一次減圧部）
７              ：中圧減圧室
８              ：大気圧室
９              ：中圧スプリング
１０            ：中圧ダイヤフラム受板
１１            ：中圧ダイヤフラム
１２            ：下部軸受部材（軸受部材）
１３            ：切替軸
１４            ：上部軸受部材（軸受部材）
１４ａ          ：筒部
１４ｂ          ：鍔部
１５            ：切替レバー
１６            ：押圧部材
１６ａ          ：凹部
１６ｂ          ：凸部
１７            ：中圧弁
１７ａ          ：棒状部材
２０            ：低圧減圧部（二次減圧部）
２０ａ，２０ｂ  ：低圧減圧部（二次減圧部）
２１ａ，２１ｂ  ：低圧減圧室（ガス室）
２２ａ，２２ｂ  ：大気圧室（大気室）
２３            ：低圧スプリング
２４            ：低圧ダイヤフラム受板
２５ａ，２５ｂ  ：低圧ダイヤフラム（ダイヤフラム）
２６            ：作動棹
２６ａ          ：弁体
２７            ：スプリング受け座金
２８            ：安全弁調整スプリング
２９            ：開閉用レバー
３０            ：ピン
３１            ：低圧弁（弁）
３２            ：ノズル部
３３            ：弁体受け
６１，６２      ：ＬＰガス容器
６１ａ，６２ａ  ：出口
７１，７２      ：ガスメータ
７１ａ，７２ａ  ：入口
７１ｂ，７２ｂ  ：出口
８１〜８６      ：流路
９１            ：特定の需要者の居住空間
９２            ：他の需要者の居住空間
１００，２００，３００  ：ガス供給システム
３０１          ：圧力調整器
３１０，３１３，３１４  ：流路
３１１，３１２  ：分岐流路
【図１】
0003225853.tif 000003
【図２】
0003225853.tif 000004
【図３】
0003225853.tif 000005
【図４】
0003225853.tif 000006
【図５】
0003225853.tif 000007
【図６】
0003225853.tif 000008
【図７】
0003225853.tif 000009
【図８】
0003225853.tif 000010